【手続補正書】
【提出日】平成19年4月11日(2007.4.11)
【手続補正１】
【補正対象書類名】明細書
【補正対象項目名】請求項１
【補正方法】変更
【補正の内容】
【請求項１】  インク吐出用のノズルを複数形成した記録ヘッドを複数個配列してなる記録手段を用い、該記録手段を主走査方向に沿って移動させて各記録ヘッドから異なる種類のインクを吐出することにより記録媒体に記録を行うようにしたインクジェット記録装置において、
前記記録ヘッドの複数のノズルにより記録可能な記録幅の中の、記録を行う幅及び位置を、各記録ヘッド毎にそれぞれ独立に制御する記録ヘッド制御手段を備え、
前記記録ヘッド制御手段は、設定された記録条件に応じて前記記録を行う幅及び位置を制御することを特徴とするインクジェット記録装置。
【手続補正２】
【補正対象書類名】明細書
【補正対象項目名】請求項８
【補正方法】変更
【補正の内容】
【請求項８】  インク吐出用のノズルを複数形成した記録ヘッドを複数個配列してなる記録手段を用い、該記録手段を主走査方向に沿って移動させて各記録ヘッドに対応した記録データに基づいて前記各記録ヘッドから異なる種類のインクを吐出することにより記録媒体に記録を行うようにしたインクジェット記録装置において、
前記記録ヘッドの複数のノズルにより記録可能な記録幅の中の、記録を行う幅及び位置を、各記録ヘッド毎にそれぞれ独立に制御する記録ヘッド制御手段と、
前記各記録ヘッドそれぞれに対応した複数の前記記録データの境界を検知する境界検知手段と、を備え、
前記記録ヘッド制御手段は、前記境界検知手段による検知結果に応じて前記記録を行う幅及び位置を制御することを特徴とするインクジェット記録装置。
【手続補正３】
【補正対象書類名】明細書
【補正対象項目名】請求項９
【補正方法】変更
【補正の内容】
【請求項９】  前記境界検知手段は、前記複数の記録データの重なりを検知することを特徴とする請求項８記載のインクジェット記録装置。
【手続補正４】
【補正対象書類名】明細書
【補正対象項目名】請求項１０
【補正方法】変更
【補正の内容】
【請求項１０】  前記境界検知手段は、前記記録データに対し、前記記録データで記録される領域を拡張するボールド処理を行って、前記複数の記録データの近接を検知することを特徴とする請求項８記載のインクジェット記録装置。
【手続補正５】
【補正対象書類名】明細書
【補正対象項目名】請求項１１
【補正方法】変更
【補正の内容】
【請求項１１】  インク吐出用のノズルを複数形成した記録ヘッドを複数個配列してなる記録手段を用い、該記録手段を主走査方向に沿って移動させて各記録ヘッドから異なる種類のインクを吐出することにより記録媒体に記録を行うようにしたインクジェット記録装置において、
前記記録ヘッドの複数のノズルにより記録可能な記録幅の中の、記録を行う幅及び位置を、各記録ヘッド毎にそれぞれ独立に制御する記録ヘッド制御手段と、
前記記録媒体に関する情報を取得する記録媒体情報取得手段と、を備え、
前記記録ヘッド制御手段は、前記記録媒体情報取得手段によって取得した情報に応じて前記記録を行う幅及び位置を制御することを特徴とするインクジェット記録装置。
【手続補正６】
【補正対象書類名】明細書
【補正対象項目名】請求項１９
【補正方法】変更
【補正の内容】
【請求項１９】  インク吐出用のノズルを複数形成した記録ヘッドを複数個配列し、各記録ヘッドに対応した記録データに基づいて前記各記録ヘッドから異なる種類のインクを吐出することにより記録媒体に記録を行うようにしたインクジェット記録方法において、
前記各記録ヘッドそれぞれに対応した複数の前記記録データの境界を検知する境界検知工程と、
前記境界検知工程による検知結果に応じて、前記記録ヘッドの複数のノズルにより記録可能な記録幅の中の、記録を行う幅及び位置を、各記録ヘッド毎にそれぞれ独立に制御する記録ヘッド制御工程と、
前記記録ヘッド制御工程により設定された前記記録を行う幅及び位置に応じて前記複数の記録ヘッドにより記録を行う記録工程と、
からなることを特徴とするインクジェット記録方法。
【手続補正７】
【補正対象書類名】明細書
【補正対象項目名】００２４
【補正方法】変更
【補正の内容】
【００２４】
すなわち、本願の第１の発明は、インク吐出用のノズルを複数形成した記録ヘッドを複数個配列してなる記録手段を用い、該記録手段を主走査方向に沿って移動させて各記録ヘッドから異なる種類のインクを吐出することにより記録媒体に記録を行うようにしたインクジェット記録装置において、前記記録ヘッドの複数のノズルにより記録可能な記録幅の中の、記録を行う幅及び位置を、各記録ヘッド毎にそれぞれ独立に制御する記録ヘッド制御手段を備え、前記記録ヘッド制御手段は、設定された記録条件に応じて前記記録を行う幅及び位置を制御することを特徴とするものである。
【手続補正８】
【補正対象書類名】明細書
【補正対象項目名】００２５
【補正方法】変更
【補正の内容】
【００２５】
本願の第２の発明は、インク吐出用のノズルを複数形成した記録ヘッドを複数個配列してなる記録手段を用い、該記録手段を主走査方向に沿って移動させて各記録ヘッドに対応した記録データに基づいて前記各記録ヘッドから異なる種類のインクを吐出することにより記録媒体に記録を行うようにしたインクジェット記録装置において、前記記録ヘッドの複数のノズルにより記録可能な記録幅の中の、記録を行う幅及び位置を、各記録ヘッド毎にそれぞれ独立に制御する記録ヘッド制御手段と、前記各記録ヘッドそれぞれに対応した複数の前記記録データの境界を検知する境界検知手段と、を備え、前記記録ヘッド制御手段は、前記境界検知手段による検知結果に応じて前記記録を行う幅及び位置を制御することを特徴とするものである。
【手続補正９】
【補正対象書類名】明細書
【補正対象項目名】００２６
【補正方法】変更
【補正の内容】
【００２６】
また、本願の第３の発明は、インク吐出用のノズルを複数形成した記録ヘッドを複数個配列してなる記録手段を用い、該記録手段を主走査方向に沿って移動させて各記録ヘッドから異なる種類のインクを吐出することにより記録媒体に記録を行うようにしたインクジェット記録装置において、前記記録ヘッドの複数のノズルにより記録可能な記録幅の中の、記録を行う幅及び位置を、前記記録ヘッドの中の記録に使用する使用ヘッド部の幅及び位置を各記録ヘッド毎にそれぞれ独立に制御する記録ヘッド使用ヘッド部制御手段と、前記記録媒体に関する情報メディア情報を取得する記録媒体情報メディア情報取得手段と、を備え、前記記録ヘッド使用ヘッド部制御手段は、前記記録媒体メディア情報取得手段によって取得したメディア情報に応じて前記記録を行う使用ヘッド部の幅及び位置を制御することを特徴とするものである。
【手続補正１０】
【補正対象書類名】明細書
【補正対象項目名】００２８
【補正方法】変更
【補正の内容】
【００２８】
また、本願の第５の発明は、インク吐出用のノズルを複数形成した記録ヘッドを複数個配列し、各記録ヘッドに対応した記録データに基づいて前記各記録ヘッドから異なる種類のインクを吐出することにより記録媒体に記録を行うようにしたインクジェット記録方法において、前記各記録ヘッドそれぞれに対応した複数の前記記録データの境界を検知する境界検知工程と、前記境界検知手段による検知結果に応じて、前記記録ヘッドの複数のノズルにより記録可能な記録幅の中の、記録を行う幅及び位置を、各記録ヘッド毎にそれぞれ独立に制御する記録ヘッド制御工程と、前記記録ヘッド制御工程により設定された前記記録を行う幅及び位置に応じて前記複数の記録ヘッドにより記録を行う記録工程と、からなることを特徴とする。